(57)【特許請求の範囲】
【請求項１】
扉により開閉される出入口構成用枠体に設けられた施錠用掛止金具と、
前記扉に前記掛止金具と対向する扉の側端面から内方へ延在して装着されるケースと、
前記ケース内に該ケースの延在方向に揺動可能に枢支された所望長さの支持部材と、
前記支持部材に該支持部材の長手方向に移動可能に支持され一端に前記掛止金具に係脱される鉤部を有する鎌部材と、
前記ケース内に前記鎌部材の移動方向に揺動可能に支持され、かつ前記鎌部材の鉤部を前記掛止金具に対して掛脱する方向に作動させる鎌作動部材と、
前記鎌作動部材を前記鉤部が前記掛止金具に掛合される方向に付勢する第１ばね部材と、
前記ケース内に該ケースの延在方向に移動可能に設けられ、前記扉の開閉に伴い扉の側端面が前記枠体に当接または枠体から離間する動作に連動して前記支持部材を前記鎌部材の鉤部が前記ケースの前端面から外方へ突出される施錠位置と前記鎌部材の鉤部がケース内に収納される開錠位置間で揺動させる駆動部材と、
前記駆動部材を該駆動部材の一端が前記枠体と当接できるように前記ケースの前端面から突出する方向に付勢する第２ばね部材と、
前記支持部材の枢支基部と前記駆動部材間に連結され、前記駆動部材の移動運動を前記支持部材の前記施錠位置及び開錠位置への揺動運動に変換するリンク機構と、を備えることを特徴とする鎌錠。
【請求項２】
前記支持部材の枢支基部と前記リンク機構間に設けられ、前記駆動部材の移動運動を前記支持部材に伝達するとともに前記鎌部材に外部から作用する衝撃力を吸収する第３ばね部材を備えるものであり、該第３ばね部材の一端は支持部材の支持基部に係止され、他端はリンク機構に係止されていることを特徴とする請求項１記載の鎌錠。
【請求項３】
前記鉤部は先端から後方に行くにしたがい下り勾配に傾斜する傾斜面を有し、前記鎌部材が前記駆動部材の移動に連動して前記施錠位置に揺動された時に前記傾斜面を前記掛止金具の上端縁に当接させ、この傾斜面と上端縁に作用する傾斜面の押圧力により前記鎌部材を前記鉤部が前記掛止金具に掛合される方向と逆の方向に移動して鉤部が掛止金具に掛合できる状態に変位されるように構成されていることを特徴とする請求項１記載の鎌錠。
【請求項４】
前記鎌作動部材に係脱されるロック部材が前記ケース内に移動可能に設けられ、前記ロック部材は前記鎌部材の鉤部が前記掛止金具に掛合されて施錠されている時に前記鎌作動部材に係合されるように構成されていることを特徴とする請求項１ないし３項の何れか１項記載の鎌錠。
【請求項５】
前記扉で区画される空間の内側と外側に対向する扉の内外両側面個所に前記ケースを挟持するようにしてそれぞれ装着された操作用支持枠体と、前記各操作用支持枠体に揺動可能に支持された開錠操作部材と、前記各操作用支持枠体に移動可能に設けられ、前記開錠操作部材の揺動操作に連動して前記鎌作動部材を前記鎌部材の鉤部が前記掛止金具から離脱する方向に動作させる同調部材を備えることを特徴とする請求項１ないし４項の何れか１項記載の鎌錠。
【請求項６】
前記両同調部材間は前記鎌作動部材と係合する所定長さのピンにより互いに一体的に移動できるように連結され、かつ前記ピンは前記扉の厚さに応じて変化する前記同調部材間の間隔に対応する長さに設定されていることを特徴とする請求項５記載の鎌錠。
【請求項７】
前記扉の内側の側面個所に装着された操作用支持枠体は、前記ロック部材に連繋され該ロック部材をロック位置とアンロック位置に操作するロック用操作部材を備えることを特徴とする請求項５または６記載の鎌錠。
【請求項８】
前記扉の外側の側面個所に装着された操作用支持枠体は、前記ロック部材の前記操作部材によるロック位置またはアンロック位置への操作に連動して移動し、錠のロック状態またはアンロック状態を表示する表示部材を備えることを特徴とする請求項５または６記載の鎌錠。
【発明の詳細な説明】
【０００１】
【発明の属する技術分野】
本発明は、引戸などの扉の施錠に適用される鎌錠に関し、さらに詳しくは、扉の閉め動作に連動して、鎌部材を扉から外方に突出させ、この鎌部材を出入口枠体に設けた掛止金具に掛合することにより、扉を施錠するようにした鎌錠に関するものである。
【０００２】
【従来の技術】
従来、引戸などの扉の施錠に用いられる鎌錠としては、例えば特開平１０−６１２８２号公報に示すものが知られている。この種の鎌錠は、鎌錠機構を収容し扉内に装着されるケース本体、ケース本体に揺動可能に設けられた鎌部材、鎌部材がケース本体内に収納される解錠位置とケース本体の前端面から突出する施錠位置に操作する駆動体、駆動体と鎌部材間を揺動可能に連結する連結部材、ケース本体内に前後方向に移動可能に設けられたトリガー部材、トリガー部材をその先端部がケース本体の前端面から突出する方向に付勢するばね、トリガー部材の先端部がケース本体の前端面から突出する方向に付勢されている時にトリガー部材と連結部材に係合して鎌部材を開錠位置に保持するストッパ部材等を備えている。
【０００３】
このような従来の鎌錠において、扉が閉められることにより、ケース本体の前端面から突出しているトリガー部材の先端部が出入口枠の側面に当接するとトリガー部材全体が後退動作するため、ストッパ部は連結部材から外れ、鎌部材の開錠状態のロックが解除される。かかる状態で、駆動体に結合したハンドル等の操作部材を施錠方向に回転することにより駆動体が同一方向に回転されると、これに連動して鎌部材が施錠方向に回動され、鎌部材の先端部分がケース本体の先端面から突出するとともに、その鉤部が出入口枠に設けた掛止金具に掛合される。これにより、扉を施錠することができる。このとき、駆動体は、ケース本体内に設けたトグルばねにより施錠位置に付勢されると同時に、鎌部材を施錠状態に保持する。
【０００４】
また、施錠状態にある扉の鎌錠を開錠する場合は、ハンドル等の操作部材を開錠方向に操作することにより駆動体を開錠方向に回転させる。これに伴い、施錠状態にある鎌部材が開錠方向に回動され、その鉤部が出入口枠の掛止金具から離脱するとともに鎌部材自体がケース本体内に収容される。これにより、鎌錠は開錠され、扉を自由に開けることができる。なお、鎌部材がケース本体内に収容された状態では、駆動体がトグルばねにより開錠位置に付勢されるため、鎌部材はケース本体内に収容された開錠状態に保持される。また、扉が開かれるとトリガー部材がばねにより前進端へ移動されるため、この動作に連動してストッパ部材が回動され、このストッパ部材を連結部材に係合することにより、鎌部材及び駆動体を開錠状態にロックする。
【０００５】
【発明が解決しようとする課題】
このような従来の鎌錠においては、扉が閉められた時に後退動作するトリガー部材を備えているが、このトリガー部材は、その後退動作によりストッパ部材を連結部材から外して鎌部材の開錠状態のロックを解除するだけであるため、扉を閉めただけでは施錠することができず、駆動体をハンドル等の操作部材により施錠方向に回転しないと施錠することができない。また、従来の鎌錠では、その鎌部材がケース本体に開錠位置を施錠位置間で揺動できるように軸支されるだけの構造であるため、開いた状態の扉において、ストッパ部材の突出先端が不用意に押されることでストッパ部材が連結部材から外ずれて鎌部材の開錠状態がロック解除されている場合、駆動体の操作部材が不用意に施錠方向に操作されると鎌部材は施錠位置に回動され、この鎌部材の先端部はケース本体の前端面から突出した状態におかれる。この状態で扉が閉められたりすると、鎌部材の先端部が出入口枠の掛止金具に強い力で衝突し、その結果、鎌部材や掛止金具を変形または破損させてしまうおそれがあるほか、最悪の場合には鎌錠自体を破損してしまうという問題があった。また、従来の鎌錠は、施錠を確実にするため、その鎌部材が該鎌部材より上方に位置する軸部を中心に回動するが、この場合、引き戸をそのまま引いて開けようとしても開錠できず、円滑な開錠のためには開錠手段が別途必要となり、構造が複雑化するという問題があった。
【０００６】
本発明は、上記のような従来の問題を解決するためになされたもので、その目的は、扉の閉め動作に連動して鎌部材を施錠位置へ自動的に回動することができると共に、施錠位置へ回動された鎌部材の鉤部を掛止金具に自動的に掛合可能にし、扉の開け動作に連動して鎌部材を上方に移動させることで円滑な開錠を可能にし、かつ扉が開かれている状態において不用意に施錠位置に突出されている鎌部材が掛止金具等の物体と衝突しても、これを吸収して鎌部材や物体等の破損を未然に防止できるようにした鎌錠を提供することにある。
【０００７】
【課題を解決するための手段】
上記目的を達成するために本発明の鎌錠は、扉により開閉される出入口構成用枠体に設けられた施錠用掛止金具と、前記扉に前記掛止金具と対向する扉の側端面から内方へ延在して装着されるケースと、前記ケース内に該ケースの延在方向に揺動可能に枢支された所望長さの支持部材と、前記支持部材に該支持部材の長手方向に移動可能に支持され一端に前記掛止金具に係脱される鉤部を有する鎌部材と、前記ケース内に前記鎌部材の移動方向に揺動可能に支持され、かつ前記鎌部材の鉤部を前記掛止金具に対して掛脱する方向に作動させる鎌作動部材と、前記鎌作動部材を前記鉤部が前記掛止金具に掛合される方向に付勢する第１ばね部材と、前記ケース内に該ケースの延在方向に移動可能に設けられ、前記扉の開閉に伴い扉の側端面が前記枠体に当接または枠体から離間する動作に連動して前記支持部材を前記鎌部材の鉤部が前記ケースの前端面から外方へ突出される施錠位置と前記鎌部材の鉤部がケース内に収納される開錠位置間で揺動させる駆動部材と、前記駆動部材を該駆動部材の一端が前記枠体と当接できるように前記ケースの前端面から突出する方向に付勢する第２ばね部材と、前記支持部材の枢支基部と前記駆動部材間に連結され、前記駆動部材の移動運動を前記支持部材の前記施錠位置及び開錠位置への揺動運動に変換するリンク機構とを備えることを特徴とする。
【０００８】
本発明においては、扉の閉め動作に連動して移動する駆動部材の移動運動により鎌部材を施錠位置へ自動的に回動することができるとともに、施錠位置へ回動された鎌部材の鉤部を鎌作動部材とこれを付勢する第１ばね部材により掛止金具に自動的に掛合させることができる。
【０００９】
本発明はまた、前記支持部材の枢支基部と前記リンク機構間に設けられ、前記駆動部材の移動運動を前記支持部材に伝達するとともに前記鎌部材に作用する衝撃力を吸収する第３ばね部材を備えることにより、扉が開かれている状態において不用意に施錠位置に突出されている鎌部材が掛止金具等の物体と衝突しても、その衝撃力を吸収して鎌部材や物体等の破損を未然に防止することができる。
【００１０】
【発明の実施の形態】
以下、本発明にかかる鎌錠の実施の形態について、図１〜図１６を参照して説明する。図１は本発明の一実施の形態における鎌錠の全体の構成を示す縦断側面図、図２は本発明の一実施の形態における鎌錠の分解斜視図である。
【００１１】
図１において、１はキッチン等の出入口２を構成する枠体、３は出入口２を開閉する引き戸式の扉である。上記枠体１の扉３の側端面３ａと対向する側面には、図１に示すように、凹部１ａが形成されており、この凹部１ａ内には施錠用掛止金具４が装着され、この施錠用掛止金具４は前面板５を介して木ねじ６により枠体１に固定されている。また、施錠用掛止金具４と相対向する扉３の側端面個所には鎌錠１０が装着されている。
【００１２】
前記鎌錠１０は、図１および図２に示すように、鎌錠機構を収容するケース１１、支持部材１２、鎌部材１３、鎌作動部材１４、第１ばね部材１５、駆動部材１６、第２ばね部材１７、リンク機構１８、第３ばね部材１９、ロック部材２０等を備える。前記ケース１１は、図１に示すように、掛止金具４と相対向する扉３の個所にその側端面３ａから横方向に形成した長方形の穴３ｂ内に内方へ延在して装着できるように成形された扁平な箱型を呈している。このケース１１は、前端面及び底面の一部が開口され、かつ一側面が開放された本体部１１１と、この本体部１１１の開放側面を閉鎖する側面板１１２と、本体部１１１の開口された前端面を覆う前面板１１４から構成され、前面板１１４には、前記鎌部材１３の前端部が出没する角穴１１５及び前記駆動部材１６の先端部が突出する孔１１６がそれぞれ形成されている。２７はケース１１及び前面板１１４を扉３に固定するための木ねじである。
【００１３】
前記支持部材１２は、図１及び図２に示すように、鎌部材１３を、その鉤部１３１が掛止金具４に対して掛脱する方向に移動可能に支持するもので、断面コ字状に折り曲げ加工された所定長さの支持部１２１を有し、この支持部１２１の一端は、ケース１１の本体部１１１内における扉３の側端面３ａ寄り個所に突設した軸ピン２１によりケース１１の延在方向（図１の矢印Ａ１、Ａ２方向）に揺動可能に枢支されている。また、支持部１２１の軸ピン２１との枢支基部には、図２に示すように筒状の軸１２２が突設されており、また、支持部１２１には、一対の案内用長孔１２３が支持部１２１の長手方向に沿って形成されている。
【００１４】
前記鎌部材１３は、図１及び図２に示すように、支持部材１２の支持部１２１に対応する支持片１３２と、この支持片１３２の一端に直角に連接された突片１３３と、この突片１３３の先端に形成した鉤部１３１を有している。また、鉤部１３１は先端から後方に行くにしたがい下り勾配に傾斜する傾斜面１３１ａを有し、この傾斜面１３１ａは、鎌部材１３が後述する駆動部材１６の移動に連動して施錠位置に揺動された時に掛止金具４の上端縁４ａに当接され、この傾斜面１３１ａと上端縁４ａに作用する傾斜面１３１ａの押圧力により鎌部材１３を鉤部１３１が掛止金具４に掛合される方向と逆の方向に移動して鉤部１３１が掛止金具４に掛合できる状態に変位されるように構成されている。また、上記構成の鎌部材１３の支持片１３２は支持部材１２のコ字状支持部１２１内に、その長手方向に沿って差し込まれ、さらに、この鎌部材１３はコ字状支持部１２１の各長孔１２３に係合された一対の支持ピン１３４により長孔１２３に沿って支持部１２１の長手方向（鎌部材１３の鉤部１３１が掛止金具に対して係脱する方向）に移動可能に支持されている。
【００１５】
前記鎌作動部材１４は、鎌部材１３の鉤部１３１を掛止金具４に対し係脱する方向（支持部１２１の長手方向）に作動させるもので、図１及び図２に示すように、逆Ｌ字状を呈し、その折曲げ基部は、ケース本体部１１１内の扉３の側端面３ａ寄りと反対の個所に突設した軸ピン２２に鎌部材１３の移動方向に揺動可能に支持されている。また、逆Ｌ字状を呈する鎌作動部材１４の一端１４１は支持部材１２のコ字状支持部１２１に延在されており、この一端１４１は、長手方向に沿い形成した長孔１４２を介して前記鎌部材１３の一方の支持ピン１３４に遊動可能に連結されている。また、鎌作動部材１４の他端１４３はケース本体部１１１の底面からケース外へ突出される構成になっている。また、鎌作動部材１４の軸ピン２２には、トーションばねからなる第１ばね部材１５が装着され、この第１ばね部材１５の一端を鎌作動部材１４の他端１４３に係止し、他端をケース本体部１１１の背面壁１１７に係止することにより、鎌作動部材１４を鎌部材１３の鉤部１３１が掛止金具４に掛合される方向に付勢するように構成されている。
【００１６】
前記駆動部材１６は、扉３の開閉に伴いその側端面３ａが枠体１に当接または枠体１から離間する動作に連動して、支持部材１２を鎌部材１３の鉤部１３１が扉３の側端面３ａに臨むケース１１の前端面から突出される施錠位置と、鎌部材１３の鉤部１３１がケース１１内に収納される解錠位置間で揺動させるものであり、この駆動部材１６は図１に示すように、ケース本体部１１１内の支持部材１２の軸ピン２１寄り個所にケース１１の延在方向に移動可能に設けられている。また、駆動部材１６は、一端にケース１１の前端面から外方へ突出するピン部１６１を有している。また、駆動部材１６の他端とこれに対向するケース本体部１１１の背面壁間には、図１に示すようにコイルスプリングからなる第２ばね部材１７が介在され、この第２ばね部材１７により駆動部材１６のピン部１６１が枠体１の前面板５と当接できるようにケース１１の前面板１１４の孔１１６から突出する方向に付勢されている。
【００１７】
前記リンク機構１８は、駆動部材１６の移動運動を支持部材１２の前記施錠位置及び開錠位置への揺動運動に変換するもので、図１及び図２に示すように、第１リンク部材１８１と第２リンク部材１８２を備え、この第１リンク部材１８１と第２リンク部材１８２の一端はピン１８３により揺動可能に連結され、第１リンク部材１８１の他端はピン１８４により駆動部材１６に連結されている。また、第２リンク部材１８２の他端は前記支持部材１２の軸１２２に該軸１２２の軸回りに回転可能に連結されている。また、前記支持部材１２の軸１２２には、図１及び図２に示すようにトーションばねからなる第３ばね部材１９が装着され、この第３ばね部材１９の一端は支持部材１２の支持基部に突設したストッパ１２４に係止され、他端はリンク機構１８の第２リンク部材１８２に係止されている。これにより、駆動部材１６の移動運動をリンク機構１８を介して支持部材１２に伝達するとともに鎌部材１３の鉤部１３１が不用意にケース１１の前端面から突出している時に外部から作用する衝撃力を吸収できるように構成されている。なお、第３ばね部材１９のばね力は第１ばね部材１５及び第２ばね部材１７のばね力よりの大きく設定されている。
【００１８】
なお、第２リンク部材１８２及び第３ばね部材１９が取り付けられた後の軸１２２には、ワッシャ２５を介して取付ねじ（不図示）が上端側から挿通され、この取付ねじを軸ピン２１に螺合して締め付けることにより、支持部材１２、第２リンク部材８２及び第３ばね部材１９をケース本体部１１１に安定に保持できるようになっている。
【００１９】
前記ロック部材２０は、鎌部材１３の鉤部１３１が掛止金具４に掛合された施錠状態をロックするもので、図１及び図２に示すように、基板部２０１と、この基板部２０１の一端部に所望間隔離して平行にかつ起立して設けた一対の係止片２０２を有している。このようなロック部材２０は、その基板部２０１の他端部に形成した移動量規制用の長孔２０３をケース本体部１１１に突設した軸ピン２２に係合し、かつ基板部２０１の一端両側をケース本体部１１１に設けたガイド部１１８とケース本体部１１１の背面壁１１７で支持することにより、鎌作動部材１４に対して図１の矢印Ｂ１、Ｂ２方向に移動できるようにケース本体部１１１に取り付けられている。なお、ロック部材２０の一方の係止片２０２は鎌作動部材１４の一端１４１に突設した係止部１４４に係脱される構成になっている。１１９は支持部材１２の矢印Ａ２方向への移動を規制するためにケース本体部１１１に突設したストッパである。
【００２０】
次に、本発明における鎌錠の開錠及びロックのための構成について、図３〜図５を参照して説明する。図３は本発明の鎌錠に開錠及びロックのための機構を組み付けた場合の構成を示す縦断側面図、図４は本発明における鎌錠の開錠及びロックのための構成の詳細を示す分解斜視図、図５は図３のＡ−Ａ線に沿う断面図である。図３〜図５において、鎌錠１０を開錠及びロックするための機構は、図５に示すように扉３で区画される空間の外側と内側に対向する扉３の両側面個所にケース１１を挟持するようにしてそれぞれ装着された縦方向に長い長形状の第１及び第２操作用支持枠体３０、４０、開錠操作部材３１、４１、同調部材３２、４２を備えている。
【００２１】
この第１及び第２操作用支持枠体３０、４０のうち、第１操作用支持枠体３０は扉３の外側側面に装着されるもので、図３及び図４に示すように、第１操作用支持枠体３０に設けた開錠操作部材収容部３０１内には支持部材３３が装着され、この支持部材３３の長手方向の両端には開錠操作部材３１の両端が軸ピン３１１を介して回転可能に軸支され、さらに、開錠操作部材３１の軸支点から偏心した個所の両端部には同調部材３２と係合して該同調部材３２を開錠方向に動作させる作動ピン３４が設けられている。
【００２２】
また、第１操作用支持枠体３０内の中間部個所には同調部材３２が配置され、この同調部材３２は、これを横方向に貫通するガイドピン３５により第１操作用支持枠体３０の長手方向と直角な方向に移動可能に支持されている。さらに、第１操作用支持枠体３０に設けた表示部材収容部３０２内には、鎌錠１０のロック状態またはアンロック状態を表示する表示部材３６が第１操作用支持枠体３０の長手方向に移動可能に配設されており、この表示部材３６に形成された「ロック」、「アンロック」の文字は、表示部材収容部３０２に形成した窓穴３０３から表示されるようになっている。また、表示部材３６には、ケース本体部１１１を貫通してロック部材２０の係止片２０２間に突出して係合する係合片３７が表示部材３６の移動方向と直角な方向に位置調整可能に設けられている。
【００２３】
前記第２操作用支持枠体４０は扉３の内側側面に装着されるもので、図３及び図４に示すように、第２操作用支持枠体４０に設けた開錠操作部材収容部４０１内には支持部材４３が装着され、この支持部材４３の長手方向の両端には開錠操作部材４１の両端が軸ピン４１１を介して回転可能に軸支され、さらに、開錠操作部材４１の軸支点から偏心した個所の両端部には同調部材４２と係合して該同調部材４２を開錠方向に動作させる作動ピン４４が設けられている。
【００２４】
また、第２操作用支持枠体４０内の中間部個所には同調部材４２が配置され、この同調部材４２は、これを横方向に貫通するガイドピン４５により第２操作用支持枠体４０の長手方向と直角な方向に移動可能に支持されている。さらに、第２操作用支持枠体４０に設けたロック用操作部材収容部４０２内にはロック用操作部材４６が配設され、この操作部材４６は、これを横方向に貫通する軸ピン４７により第２操作用支持枠体４０に揺動可能に支持されている。また、上記操作部材４６の一端における内側個所には、軸ピン４７と平行なアリ溝４６１が形成され、このアリ溝４６１には、ケース本体部１１１を貫通してロック部材２０の係止片２０２間に突出して係合する係合片４８がアリ溝４６１に沿って位置調整可能に係合されている。
【００２５】
前記両同調部材３２と４２間は、所定長さの一対にピン５０により互いに連結される構成になっており、この両ピン５０間には、ケース本体部１１１の底面から突出する鎌作動部材１４の一端１４３が係合されている。なお、第１操作用支持枠体３０と第２操作用支持枠体４０を扉３に組み付ける場合は、第１操作用支持枠体３０の内側両端に突設した連結ロッド３０４の一方をケース１１に形成した貫通孔１１Ａに挿通して、その挿通端を第２操作用支持枠体４０の両端に形成した係合部４０３の一方に係合し、さらに、他方の連結ロッド３０４の先端を第２操作用支持枠体４０の他方の係合部４０３に係合した後、図示省略のタッピングねじを第２操作用支持枠体４０に形成した孔４０４から挿入して連結ロッド３０４にねじ込んで締め付けることにより、第１操作用支持枠体３０と第２操作用支持枠体４０を扉３に固定できる。
【００２６】
次に、上記のように構成された本実施の形態における鎌錠の施錠動作について図１及び図６〜図８を参照して説明する。図６〜図８は鎌錠の施錠過程を示す説明用縦断側面図である。鎌錠１０の施錠に際しては、図１に示すように開かれている扉３を矢印Ｃ方向に移動する。これに伴い、ケース１１の前端面から突出している駆動部材１６のピン部１６１が図６に示すように枠体１の前面板５と当接すると、駆動部材１６は第２ばね部材１７に抗して図６の矢印Ｄ方向に移動する。そして、この移動につれてリンク機構１８のリンク部材１８１は軸ピン２１を中心に反時計回りに回動されるとともに、このリンク部材１８１と第３ばね部材１９で連結された支持部材１２も同一方向（矢印Ａ１の方向）に回動される。これにより、鎌部材１３の鉤部１３１はケース前端板１１４の角穴１１５から外方へ突出する。
【００２７】
その後、扉３が閉め方向に更に移動されるにつれ、駆動部材１６が矢印Ｄ方向に更に移動されると、鉤部１３１の傾斜面１３１ａが掛止金具４の上端縁４ａに当接し、この当接状態で鉤部１３１が掛止金具４の上端縁４ａに更に押圧されると、その押圧力と傾斜面１３１ａとの協同作用で鎌部材１３が支持部材１２の長孔１２３に沿って図７の矢印Ｅに示す方向へ移動される。そして扉３の側端面３ａが枠体１の側面に当接する直前になると、鉤部１３１は図７に示すように掛止金具４の上端縁４ａに乗り上がる。また、図８に示すように、扉３の側端面３ａが枠体１の側面に完全に当接した状態になると、鉤部１３１は掛止金具４の上端縁４ａを乗り越えて枠体１の凹部１ａ内に突出する。この状態になると、第１ばね部材１５で付勢されている鎌作動部材１４が軸ピン２２を中心にして反時計回りに回動されるため、図７に示す矢印Ｅの方向へ移動された鎌部材１３は支持部材１２の長孔１２３に沿って図８に示す矢印Ｆの方向へ移動され、その鉤部１３１は、図８に示すように掛止金具４に掛合される。
【００２８】
このように扉３の閉め動作に連動して、図６の矢印Ｄ方向に移動する駆動部材１６の移動運動を利用して鎌部材１３を施錠位置へ自動的に回動することができるとともに、施錠位置へ回動された鎌部材１３の鉤部１３１を鎌作動部材１４とこれを付勢する第１ばね部材１５により掛止金具４に自動的に掛合させることができる。
【００２９】
また、鎌部材１３を支持部材１２にその長手方向に移動可能に支持し、掛止金具４の上端縁４ａに当接する鉤部１３１の先端に傾斜面１３１ａを形成し、鎌部材１３が駆動部材１６の移動に連動して施錠位置に揺動された時に傾斜面１３１ａを掛止金具４の上端縁４ａに当接させ、この傾斜面１３１ａと上端縁４ａに作用する傾斜面１３１ａの押圧力により鎌部材１３を鉤部１３１が掛止金具４に掛合される方向と逆の方向に移動させ、しかる後、鎌作動部材１４により鉤部１３１を掛止金具４に掛合するようにしたので、鉤部１３１の突出長さを短くできるほか、鉤部１３１と掛止金具４との掛合を確実にできる。
【００３０】
次に、本実施の形態における鎌錠の開錠動作について図３、図９〜図１１を参照して説明する。図９及び図１０は鎌錠の開錠動作過程を示す説明用縦断側面図であり、図１１は図９のＢ−Ｂ線に沿う断面図である。鎌錠１０の開錠に際しては、図９に示すように鎌部材１３の鉤部１３１が掛止金具４に掛合されることで施錠された鎌錠１０において、開錠用操作部材３１または４１の一方、例えば操作部材３１に指先を引っ掛けて、該操作部材３１を軸ピン３１１を中心にして図１１の矢印Ｇ方向に回動する。これに伴い、作動ピン３４が同調部材３２を図９の矢印Ｈ方向へ移動する。この時、他方の同調部材４２はピン５０により一方の同調部材３２と連結されているため、他方の同調部材４２も同一方向に移動される。
【００３１】
同調部材３２が図９の矢印Ｈ方向に移動されると、この同調部材３２とピン５０を介して係合された鎌作動部材１４は軸ピン２２を中心にして時計回りに回動され、同時に鎌部材１３を図９の矢印Ｅ方向に移動して、その鉤部１３１を掛合金具４から離脱させる。そして、この鉤部１３１の離脱状態を保持したまま扉３が開かれると、駆動部材１６が第２ばね部材１７により図１０の矢印Ｉ方向に移動されると共に、この移動運動はリンク機構１８により回動運動に変換され、支持部材１２をストッパ１１９に当接するまで図１０の矢印Ａ２方向に回動する。これにより、鎌部材１３はケース１１内に収容されるとともに開錠されることになる。また、扉３が図１０に示すように開らかれた後に、操作部材３１から指先を離すと、鎌作動部材１４は第１ばね部材１５により図１に示す元位置に復帰されるとともに、同調部材３２，４２及び操作部材３１，４１も図１１に示す元位置に復帰される。
【００３２】
次に、施錠された鎌錠をロックする場合の動作を図１２及び図１３を参照して説明する。図１２は施錠された鎌錠をロックした場合の説明用縦断側面図、図１３は施錠された鎌錠をロックする時のロック用操作部材と鎌錠との関係を示す説明用断面図である。施錠された鎌錠１０のロックに際しては、ロック用操作部材４６の一端を図１３の矢印Ｊ方向に押圧して、ロック用操作部材４６を図１３に示す姿勢に回動させる。これに伴い、係合片４８はロック部材２０を図１２の矢印Ｋ方向に移動して、ロック部材２０の係止片２０２を鎌作動部材１４の係止部１４４に係合することにより、鎌作動部材１４はロックされ、同時に鎌錠１０を施錠状態にロックすることができる。
【００３３】
次に、鎌部材１３の鉤部１３１が不用意に施錠位置に突出されている状態において、この鉤部１３１に外部から物体が衝突しても、鎌部材に対する衝撃力を吸収する場合の鎌錠の動作について図１４及び図１５を参照して説明する。図１４は扉３が開いている状態で、駆動部材１６の突出ピン１６１が物体で押されることにより、鎌部材１３が物体に衝突した時の例を示す説明用縦断側面図である。この図１４において、扉３が開いている状態で、扉３の側端面３ａから突出している駆動部材１６の突出ピン１６１に物体６０が衝突すると、駆動部材１６が第２ばね部材１７に抗して図１４の矢印Ｄ方向に移動され、これに連動してリンク機構１８が鎌部材１３を含む支持部材１２を図１４の矢印Ａ１方向へ回動しようとするが、このとき、鎌部材１３の鉤部１３１の先端が物体６０に当接するため、鎌部材１３を含めた支持部材１２の矢印Ａ１方向への揺動は物体６０により阻止される。このため、支持部材１２に作用するリンク機構１８からの回動力は第３ばね部材１９により吸収される。したがって、鎌部材１３に物体６０が衝突しても、その衝撃力は第３ばね部材１９により吸収できるから、鎌部材１３を含む支持部材１２、鎌作動部材１４及びリンク機構１８等の鎌錠機構や物体等の破損を未然に防止することができる。
【００３４】
図１５は、扉３が開いている状態で、鎌部材１３が不用意に施錠状態に回動され、かつ、この施錠状態の鎌錠が不用意にロックされた場合に鎌部材１３が物体に衝突した時の例を示す説明用縦断側面図である。この図１５において、鎌錠が施錠状態にロックされている時は、ロック部材２０の係止片２０２が鎌作動部材１４の係止部１４４に係合しており、そして、鎌部材１３の鉤部１３１はケース前面板１１４の角穴１１５からケース１１外に突出されている。かかる状態で、鉤部１３１の先端に物体６０が衝突すると、鎌部材１３を含む支持部材１２が枢支基部を中心にして第３ばね部材１９に抗し図１５の矢印Ａ２方向に回動される。これにより、鎌部材１３への衝撃力は第３ばね部材１９により吸収される。
したがって、ロック状態にある鎌部材１３に物体６０が衝突しても、その衝撃力は第３ばね部材１９により吸収できるから、鎌部材１３を含む支持部材１２、鎌作動部材１４及びリンク機構１８等の鎌錠機構や物体等の破損を未然に防止することができる。
【００３５】
次に、図１６及び図１７により本発明の鎌錠及び開錠用操作部材やロック用操作部材等を支持する操作用支持部材が扉の厚さ変化に対応できる場合について説明する。図１６は、例えば３０ｍｍの厚さの扉３に鎌錠１０及び操作用支持部材３０、４０を組み付けた場合の説明用縦断面図である。この図１６において、扉３内に鎌錠１０を装着した後、扉３の内側及び外側に鎌錠１０を両面から挟持するように操作用支持部材３０及び４０が装着される。この時、ロック用操作部材４６の係合片４８は鎌錠１０のロック部材２０の係止片２０２間に係合され、また、表示部材３６の係合片３７は鎌錠１０のロック部材２０の係止片２０２間に係合される。この場合、図１６から明らかなようにロック部材２０の係止片２０２に対する係合片３６及び４８の係合度合いは深くなる。また、操作用支持部材３０及び４０のそれぞれに設けられた開錠用操作部材３１、４１に連動して動作する鎌作動部材１４の各同調部材３２及び４２はピン５０により連結されているため、ピン５０の長さを調整することで対応できる。
【００３６】
図１７は、例えば４０ｍｍの厚さの扉３に鎌錠１０及び操作用支持部材３０、４０を組み付けた場合の説明用縦断面図である。この図１７において、扉３内に鎌錠１０を装着した後、扉３の内側及び外側に鎌錠１０を両面から挟持するように操作用支持部材３０及び４０が装着される。この時、ロック用操作部材４６の係合片４８は鎌錠１０のロック部材２０の係止片２０２間に係合され、また、表示部材３６の係合片３７は鎌錠１０のロック部材２０の係止片２０２間に係合される。この場合、図１７から明らかなようにロック部材２０の係止片２０２に対する係合片３６及び４８の係合度合いは、図１６の場合より浅くなる。
【００３７】
このような本発明の鎌錠によれば、同一形態の鎌錠１０及び操作用支持部材３０、４０を厚さの異なる扉３の共通に使用することができる。また、操作用支持部材３０及び４０のそれぞれに設けられた開錠用操作部材３１、４１に連動して動作する鎌作動部材１４の各同調部材３２及び４２はピン５０により連結されているため、ピン５０を交換するだけで、操作用支持部材３０、４０を厚さの異なる扉３の共通に使用することができる。
【００３８】
【発明の効果】
以上の説明から明らかなように本発明の鎌錠によれば、扉の閉め動作に連動して移動する駆動部材の移動運動により鎌部材を施錠位置へ自動的に回動することができるとともに、施錠位置へ回動された鎌部材の鉤部を掛止金具に自動的に掛合可能にし、施錠位置へ回動された鎌部材の鉤部を鎌作動部材とこれを付勢する第１ばね部材により掛止金具に自動的に掛合させることができる。また、扉の開け動作に連動して鎌部材を上方に移動させることで円滑な開錠を可能にする。
また、本発明によれば、鎌部の支持部材にその長手方向に移動可能に支持し、掛止金具の上端縁に当接する鉤部の先端に傾斜面を形成し、鎌部材が駆動部材の移動に連動して施錠位置に揺動された時に前記傾斜面を掛止金具の上端縁に当接させ、この傾斜面と上端縁に作用する傾斜面の押圧力により鎌部材を鉤部が掛止金具に掛合される方向と逆の方向に移動させ、しかる後、鎌作動部材により鉤部を掛止金具に掛合するようにしたので、鉤部の突出長さを短くできるほか、鉤部と掛止金具との掛合を確実にできる。
【００３９】
また、本発明によれば、支持部材の枢支基部と前記リンク機構間に設けられ、前記駆動部材の移動運動を前記支持部材に伝達するとともに前記鎌部材に外部から作用する衝撃力を吸収する第３ばね部材を備えるので、扉が開かれている状態において不用意に施錠位置に突出されている鎌部材が掛止金具等の物体と衝突しても、その衝撃力を吸収して鎌部材や物体等の破損を未然に防止することができる。
【図面の簡単な説明】
【図１】本発明の一実施の形態における鎌錠の全体の構成を示す縦断側面図である。
【図２】本発明の一実施の形態における鎌錠の分解斜視図である。
【図３】本発明の鎌錠に開錠及びロックのための機構を組み付けた場合の構成を示す縦断側面図である。
【図４】本発明における鎌錠の開錠及びロックのための構成の詳細を示す分解斜視図である。
【図５】図３のＡ−Ａ線に沿う断面図である。
【図６】本発明における鎌錠の施錠時の途中の状態を示す説明用縦断側面図である。
【図７】本発明における鎌錠の施錠直前の状態を示す説明用縦断側面図である。
【図８】本発明における鎌錠の施錠状態を示す説明用縦断側面図である。
【図９】本発明における鎌錠の開錠過程の初期状態を示す説明用縦断側面図である。
【図１０】本発明における鎌錠の開錠過程の最終状態を示す説明用縦断側面図である。
【図１１】図９のＢ−Ｂ線に沿う断面図である。
【図１２】本発明の施錠された鎌錠をロックした場合の説明用縦断側面図である。
【図１３】本発明の施錠された鎌錠をロックする時のロック用操作部材と鎌錠との関係を示す説明用断面図である。
【図１４】本発明における鎌錠の鎌部材が物体に衝突した時の例を示す説明用縦断側面図である。
【図１５】本発明における鎌錠の鎌部材が不用意に施錠状態に回動され、この施錠状態の鎌錠が不用意にロックされた場合に鎌部材が物体に衝突した時の例を示す説明用縦断側面図である。
【図１６】本発明の鎌錠及び操作用支持部材を扉に組み付けた場合の一例を示す説明用縦断面図である。
【図１７】本発明の鎌錠及び操作用支持部材を扉に組み付けた場合の他の例を示す説明用縦断面図である。
【符号の説明】
１          枠体
２          出入口
３          扉
３ａ        側端面
４          掛止金具
１０        鎌錠
１２        支持部材
１３        鎌部材
１４        鎌作動部材
１５        第１ばね部材
１６        駆動部材
１７        第２ばね部材
１８        リンク機構
１９        第３ばね部材
２０        ロック部材
３０        第１操作用支持枠体
４０        第２操作用支持枠体
３１、      ４１  開錠操作部材
３２、      ４２  同調部材
３６        表示部材
４６        ロック用操作部材
【図１】
0004514076.tif 000002
【図２】
0004514076.tif 000003
【図３】
0004514076.tif 000004
【図４】
0004514076.tif 000005
【図５】
0004514076.tif 000006
【図６】
0004514076.tif 000007
【図７】
0004514076.tif 000008
【図８】
0004514076.tif 000009
【図９】
0004514076.tif 000010
【図１０】
0004514076.tif 000011
【図１１】
0004514076.tif 000012
【図１２】
0004514076.tif 000013
【図１３】
0004514076.tif 000014
【図１４】
0004514076.tif 000015
【図１５】
0004514076.tif 000016
【図１６】
0004514076.tif 000017
【図１７】
0004514076.tif 000018